【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】基板上に少なくとも感熱層、インキ反発層を順次有する直描型水なし平版印刷版の製造方法であって、原版にレーザーで像様照射する第１の工程、アミン化合物を処理液全体に対して０．１〜３０重量％含有する処理液で原版を処理する第２の工程、レーザー照射部のインキ反発層を除去する第３の工程をこの順に含み、上記工程の後も、感熱層の少なくとも一部が残存する直描型水なし平版印刷版の製造方法。
【請求項２】前記第１の工程において、照射するレーザー光の波長の光に対する感熱層の透過率が、２０％未満である請求項１記載の直描型水なし平版印刷版の製造方法。
【請求項３】該感熱層が、少なくとも（Ａ）レーザー光を吸収し熱を発生する化合物および（Ｂ）熱により反応し溶解性または膨潤率が向上する化合物を含有する請求項１記載の直描型水なし平版印刷版の製造方法。
【請求項４】該（Ｂ）熱により反応し溶解性または膨潤率が向上する化合物が、金属含有有機化合物と活性水素含有化合物の組み合わせからなる請求項３記載の直描型水なし平版印刷版の製造方法。
【請求項５】前記第２の工程において、処理液の温度が３０〜６０℃であり、処理時間が１０〜１００秒である請求項１記載の直描型水なし平版印刷版の製造方法。
【手続補正２】
【補正対象書類名】明細書
【補正対象項目名】００１５
【補正方法】変更
【補正の内容】
【００１５】
本発明の課題はかかる従来技術の欠点を改良するために、画像再現性の良好な直描型平版印刷版を提供するものである。
（１）基板上に少なくとも感熱層、インキ反発層を順次有する直描型水なし平版印刷版の製造方法であって、原版にレーザーで像様照射する第１の工程、アミン化合物を処理液全体に対して０．１〜３０重量％含有する処理液で原版を処理する第２の工程、レーザー照射部のインキ反発層を除去する第３の工程をこの順に含み、上記工程の後も、感熱層の少なくとも一部が残存する直描型水なし平版印刷版の製造方法。
（２）前記第１の工程において、照射するレーザー光の波長の光に対する感熱層の透過率が、２０％未満である上記（１）の直描型水なし平版印刷版の製造方法。
（３）該感熱層が、少なくとも（Ａ）レーザー光を吸収し熱を発生する化合物および（Ｂ）熱により反応し溶解性または膨潤率が向上する化合物を含有する上記（１）の直描型水なし平版印刷版の製造方法。
（４）該（Ｂ）熱により反応し溶解性または膨潤率が向上する化合物が、金属含有有機化合物と活性水素含有化合物の組み合わせからなる上記（３）の直描型水なし平版印刷版の製造方法。
（５）前記第２の工程において、処理に用いる有機溶媒の液温度が３０〜６０℃であり、処理時間が１０〜１００秒である上記（１）の直描型水なし平版印刷版の製造方法。
【手続補正３】
【補正対象書類名】明細書
【補正対象項目名】００９６
【補正方法】変更
【補正の内容】
【００９６】
本発明では、処理液として（ｃ）アミン化合物を０．１〜３０重量％含有する処理液を用いる。また、（ａ）下記一般式（Ｉ）で示されるグリコール化合物および／または（ｂ）グリコールエーテル化合物を含有する処理液を混合して用いてもよい。
【手続補正４】
【補正対象書類名】明細書
【補正対象項目名】０１７１
【補正方法】変更
【補正の内容】
【０１７１】
参考例１
直描型水なし平版印刷版原版３を、カバーフィルムを剥離した後に、ＦＸ４００−ＡＰ（製版機、東レエンジニアリング（株）製）に装着し、半導体レーザー（波長：８３０ｎｍ、ビーム直径：２０μｍ）を用いて、イメージ照射を行った。この時、レーザーの出力を、４００ｍＪ／ｃｍ２（０点）から、３００ｍＪ／ｃｍ２（１点）、２５０ｍＪ／ｃｍ２（２点）、２１０ｍＪ／ｃｍ２（３点）、１８０ｍＪ／ｃｍ２（４点）、１５０ｍＪ／ｃｍ２（５点）、１３０ｍＪ／ｃｍ２（６点）、１１０ｍＪ／ｃｍ２（７点）まで変化させてレーザーを照射した。
【手続補正５】
【補正対象書類名】明細書
【補正対象項目名】０１７４
【補正方法】変更
【補正の内容】
【０１７４】
【表２】
2001201849.tif 000001
【手続補正６】
【補正対象書類名】明細書
【補正対象項目名】０１７５
【補正方法】変更
【補正の内容】
【０１７５】
参考例２〜５
直描型水なし平版印刷版原版３に対して、自動現像機の第１槽中＜処理液１＞の代わりにそれぞれ＜処理液２＞〜＜処理液５＞を入れた以外は参考例１とすべて同様に画像再現性の評価を行った。表２に示すとおり、版の感度は３〜５点と高感度であった。参考例１と同様に、それぞれの現像済みの印刷版を用いて印刷したところ、それぞれ２〜９８％画像を忠実に再現した印刷物が得られた。また実施例１と同様な手法で、レーザー出力が１８０ｍＪ／ｃｍ２における感熱層の残存率を測定した結果も、併せて表２に示す。いずれのケースも７０％以上の高い感熱層残存率を示している。
【手続補正７】
【補正対象書類名】明細書
【補正対象項目名】０１７６
【補正方法】変更
【補正の内容】
【０１７６】
参考例６
直描型水なし平版印刷版原版３に対して、自動現像機の第２槽中の水の代わりに＜現像液＞を入れ、第３槽中に水の代わりに＜染色液＞を入れた以外は参考例１とすべて同様に画像再現性の評価を行った。表２に示すとおり、版の感度は５点と高感度であった。現像液が水である参考例１に比べて、処理液の主成分であるトリエチレングリコールを少量（３％）含有する水を現像液として用いることにより、より高感度に（４点が５点に）なった。また、参考例１と同様に、この現像済みの印刷版を用いて印刷したところ、２〜９８％画像を忠実に再現した印刷物が得られた。また実施例１と同様な手法で、レーザー出力が１８０ｍＪ／ｃｍ２における感熱層の残存率を測定したところ、７２％であった。
【手続補正８】
【補正対象書類名】明細書
【補正対象項目名】０１７７
【補正方法】変更
【補正の内容】
【０１７７】
比較例４
直描型水なし平版印刷版原版３に対して、自動現像機の第１槽中の＜処理液１＞の代わりに水を入れた以外は参考例１とすべて同様に画像再現性の評価を行った。版の感度は１点と低く、画像を再現するには高エネルギー（３００ｍＪ／ｃｍ２以上）を要することになり、製版効率は悪い。また参考例１と同様に、この現像済みの印刷版を用いて印刷したところ、ベタ部および１０％〜９０％画像の現像しか再現できず、良質の印刷物は得られなかった。
【手続補正９】
【補正対象書類名】明細書
【補正対象項目名】０１７８
【補正方法】変更
【補正の内容】
【０１７８】
実施例２、３
直描型水なし平版印刷版原版３に対して、自動現像機の第１槽中の＜処理液１＞の代わりにそれぞれアミン化合物を含有する＜処理液６＞〜＜処理液７＞を入れた以外は参考例１とすべて同様に「画像再現性」の評価を行った。表２に示すとおり、版の感度は６点と高感度であった。処理液中にアミン化合物を含有しない参考例１〜６に比べて、より高い感度を実現することができた。参考例１と同様に、それぞれの現像済みの印刷版を用いて印刷したところ、それぞれ２〜９８％画像を忠実に再現した印刷物が得られた。また実施例１と同様に１３０ｍＪ／ｃｍ２における感熱層の残存率を測定したところ、表２に示すように、いずれも８０％を超える高残存率を示した。
【手続補正１０】
【補正対象書類名】明細書
【補正対象項目名】０１７９
【補正方法】変更
【補正の内容】
【０１７９】
実施例４
直描型水なし平版印刷版原版３に対して、自動現像機の第１槽中の＜処理液１＞の代わりに＜処理液８＞を入れた以外は参考例１とすべて同様に画像再現性の評価を行った。版の感度は４点と高かった。しかし、アミン化合物の含有量が０．０５重量％では、含有量が０．９重量％の＜処理液７＞を用いた実施例３のような大きな改善効果は見られず、アミン化合物を用いなかった参考例１と同程度であった。また実施例１と同様に１８０ｍＪ／ｃｍ２における感熱層の残存率を測定したところ、７５％であった。
【手続補正１１】
【補正対象書類名】明細書
【補正対象項目名】０１８０
【補正方法】変更
【補正の内容】
【０１８０】
比較例５、６
直描型水なし平版印刷版原版３に対して、自動現像機の第１槽中の＜処理液１＞の代わりにそれぞれ＜処理液９＞および＜処理液１０＞を入れた以外は参考例１とすべて同様に画像再現性の評価を行った。アミンの含有率が５０重量％の＜処理液９＞を用いた比較例５において、版の感度は７点と高感度であった。しかし、参考例１と同様にして、この現像済みの版を用いて印刷したところ、９０％以上のシャドー部の画像が再現できなかった。つまり、処理液中のアミンの含有量が過多になると、微少網部における非画線部のシリコーンゴム層までも現像されてしまい、＜処理液９＞のようなアミンの含有量が５０重量％をこえる組成の液は、処理液としては好ましくない。さらにアミン含有率の高い＜処理液１０＞を用いた比較例６では、レーザー照射／未照射に関係なく印刷版全面のシリコーンゴム層が剥離してしまい、画像を再現することができなかった。さらには、レーザー照射部の感熱層が完全に剥離し、下層の断熱層が露出していた。
【手続補正１２】
【補正対象書類名】明細書
【補正対象項目名】０１８１
【補正方法】変更
【補正の内容】
【０１８１】
実施例５〜７
直描型水なし平版印刷版原版３に対して、自動現像機の第１槽中の＜処理液１＞の代わりにそれぞれ＜処理液１１＞、＜処理液１２＞および＜処理液１３＞を入れた以外は参考例１とすべて同様に画像再現性の評価を行った。表２に示すとおり、版の感度はいずれも６点と高感度であった。参考例１と同様に、それぞれの現像済みの印刷版を用いて印刷したところ、２〜９８％画像を忠実に再現した印刷物が得られた。また実施例１と同様に１３０ｍＪ／ｃｍ２における感熱層の残存率を測定した結果を表２に合わせて記す。
【手続補正１３】
【補正対象書類名】明細書
【補正対象項目名】０１８２
【補正方法】変更
【補正の内容】
【０１８２】
実施例８
直描型水なし平版印刷版原版３に対して、自動現像機の第１槽に＜処理液７＞を、第２槽中に＜現像液＞を、第３槽中に水の代わりに＜染色液＞を入れ、参考例１と同様に画像再現性の評価を行った。表２に示すとおり、版の感度は７点と高感度であった。現像液が水である実施例３に比べて、処理液の主成分であるトリエチレングリコールを少量含有する水を現像液として用いることにより、より高感度に（６点が７点に）なった。また、参考例１と同様に、この現像済みの印刷版を用いて印刷したところ、２〜９８％画像を忠実に再現した印刷物が得られた。また実施例１と同様に１３０ｍＪ／ｃｍ２における感熱層の残存率を測定したところ、６９％であった。
【手続補正１４】
【補正対象書類名】明細書
【補正対象項目名】０１８３
【補正方法】変更
【補正の内容】
【０１８３】
比較例７、８
直描型水なし平版印刷版原版３に対して、自動現像機の第１槽中の＜処理液１＞の代わりにそれぞれ＜処理液１４＞および＜処理液１５＞を入れた以外は参考例１とすべて同様に画像再現性の評価を行った。
【手続補正１５】
【補正対象書類名】明細書
【補正対象項目名】０１８５
【補正方法】変更
【補正の内容】
【０１８５】
参考例７
直描型水なし平版印刷版原版４に対し、自動現像機の第１槽には＜処理液１６＞を、第２槽には水を、第３槽には＜染色液＞を入れて、参考例１と同様の画像再現性の評価を行った。表２に示すとおり、版の感度は４点と高感度であった。参考例１と同様に、この現像済みの印刷版を用いて印刷したところ、２〜９８％画像を忠実に再現した印刷物が得られた。また実施例１と同様な手法で、１８０ｍＪ／ｃｍ２における感熱層の残存率を測定したところ、６５％であった。
【手続補正１６】
【補正対象書類名】明細書
【補正対象項目名】０１８６
【補正方法】変更
【補正の内容】
【０１８６】
参考例８
直描型水なし平版印刷版原版４に対し、自動現像機の第１槽には＜処理液１６＞を、第２槽には＜現像液＞を、第３槽には＜染色液＞を入れて、参考例１と同様の画像再現性の評価を行った。表２に示すとおり、版の感度は５点と高感度であった。現像液が水である参考例６に比べて、処理液の主成分であるトリエチレングリコールを少量含有する水を現像液として用いることにより、より高感度に（４点が５点に）なった。また、参考例１と同様に、この現像済みの印刷版を用いて印刷したところ、２〜９８％画像を忠実に再現した印刷物が得られた。また実施例１と同様な手法で１８０ｍＪ／ｃｍ２における感熱層の残存率を測定したところ、５９％であった。
【手続補正１７】
【補正対象書類名】明細書
【補正対象項目名】０１８７
【補正方法】変更
【補正の内容】
【０１８７】
参考例９、実施例９〜１０
直描型水なし平版印刷版原版４に対し、参考例９では第１槽に＜処理液１＞を、第２槽に水を、第３槽に水を入れ、実施例９では第１槽に＜処理液７＞を、第２槽に水を、第３槽に水を入れ、実施例１０では第１槽に＜処理液７＞を、第２槽に＜現像液＞を、第３槽に水を入れ、参考例１と同様に画像再現性の評価を行った。これらのなかでもアミンを含有する実施例９および実施例１０で６点という高感度が得られた。また、参考例１と同様に、この現像済みの印刷版を用いて印刷したところ、２〜９８％画像を忠実に再現した印刷物が得られた。また実施例１と同様な手法で感熱層の残存率を測定した結果を表２に示す。
【手続補正１８】
【補正対象書類名】明細書
【補正対象項目名】０１８８
【補正方法】変更
【補正の内容】
【０１８８】
比較例９、１０
直描型水なし平版印刷版原版４に対し、比較例９では第１槽に水を、第２槽に水を、第３層に水を入れ、比較例１０では第１槽に水を、第２槽に＜現像液＞を、第３層に＜染色液＞を入れ、参考例１と同様に画像再現性の評価を行った。版の感度は１点と低く、画像を再現するには高エネルギー（３００ｍＪ／ｃｍ２以上）を要することになり、製版効率は悪い。また実施例１と同様の手法で３００ｍＪ／ｃｍ２における感熱層の残存率を測定したところ、それぞれ３２％、１９％と低く、画線部において感熱層の大半が脱落した。
【手続補正１９】
【補正対象書類名】明細書
【補正対象項目名】０１８９
【補正方法】変更
【補正の内容】
【０１８９】
参考例１０
直描型水なし印刷版原版５から“トレファン”を剥離し、ＦＸ４００−ＡＰ（製版機、東レエンジニアリング（株）製）に装着し、半導体レーザー（波長８３０ｎｍビーム直径２０μｍ）を用いて、照射エネルギーを変えながら、露光時間１０μｓで、パルス露光を行った。